(57)【要約】【課題】コストを抑制しつつ吸音性と吸音面の強度維持を両立させる。【解決手段】建物の躯体壁面６に複数本の胴縁５を所定間隔おいて列設し、同胴縁５間に多数の吸音孔２ａが穿設された表面パネル２を取り付け、胴縁５間の強度を必要とする表面パネル２の裏面に多数の孔３ａが穿設された別体の補強パネル３をその孔３ａが吸音孔２ａと連通するように貼着し、各補強パネル３の躯体壁面６側の面に吸音材であるグラスウール４をそれぞれ取り付けた。【選択図】　　　　　図２
2004068299.tif 000002
【特許請求の範囲】
【請求項１】
建物の躯体面に複数本の胴縁等の支持部材を所定間隔おいて列設し、同支持部材間に多数の吸音孔が穿設された表面パネルを取り付け、躯体面と表面パネルの間に空間を形成して室内の音を吸音できるようにした建物における内装の吸音構造において、支持部材間の強度を必要とする表面パネルの裏面に多孔が穿設された別体の補強パネルをその孔が吸音孔と連通するように取り付け、吸音面の強度を向上できるようにしたことを特徴とする建物における内装の吸音構造。
【請求項２】
建物の躯体面に複数本の胴縁等の支持部材を所定間隔おいて列設し、多数の吸音孔が穿設された表面パネル及び同パネルと同じ厚みの無孔板を前記支持部材間に内装面が面一となるようにそれぞれ取り付け、躯体面と表面パネルの間に空間を形成して室内の音を吸音できるようにした建物における内装の吸音構造において、支持部材間の強度を必要とする表面パネルの裏面に多孔が穿設された別体の補強パネルをその孔が吸音孔と連通するように取り付け、吸音面の強度を向上できるようにしたことを特徴とする建物における内装の吸音構造。
【請求項３】
補強パネルの躯体側の面に吸音材を取り付けた請求項１又は２記載の建物における内装の吸音構造。
【請求項４】
表面パネルに多数の吸音孔を穿設し、表面パネルの支持部材と当接する箇所を除いた面に多孔が穿設された別体の補強パネルをその孔が吸音孔と連通するように取り付けた建築用内装パネル。
【請求項５】
表面パネルの支持部材と当接する箇所を除いた面に多数の吸音孔を穿設し、同吸音孔面に多孔が穿設された別体の補強パネルをその孔が吸音孔と連通するように取り付けた建築用内装パネル。
【請求項６】
補強パネルの躯体側に位置する面に吸音材を取り付けた請求項４又は５記載の建築用内装パネル。
【発明の詳細な説明】
【０００１】
【発明の属する技術分野】
本発明は、建物における内装の吸音構造とそれに用いる建築用内装パネルに関し、詳しくはコストを抑制しつつ吸音面の強度を向上させる技術に関する。
【０００２】
【従来の技術】
従来、躯体面に複数本の胴縁等の支持部材を所定間隔に列設し、同支持部材間に多孔が穿設された建築用内装パネルを取り付け、躯体面と建築用内装パネルの間に空間を形成し、室内側から多孔を通じて空間に入音した音を空間内で乱反射させて減衰させ、吸音できるように構築した内装の吸音構造がある。
ところで、前記構成において建築用内装パネルは直径３〜１２ｍｍの吸音用の小孔を色々な間隔でパネルの一面に渡って多数形成するから、壁材としての強度が不足し、多少の衝撃で割れ等が発生する問題があった。
また、建築用内装パネルに厚い板材を用いて強度を持たせる方法も行われているが、コストがかかり、しかも支持部材に取り付けられる箇所は支持部材で壁材の強度を保持できるので、全体を厚肉化するのは無駄があった。
【０００３】
【発明が解決しようとする課題】
本発明が解決しようとする課題は、従来のこれらの問題点を解消し、コストを抑制しつつ吸音面の必要な箇所の強度を低コストで向上できる建物における内装の吸音構造及びそれに用いる建築用内装パネルを提供することにある。
【０００４】
【課題を解決するための手段】
かかる課題を解決した本発明の構成は、
１）　建物の躯体面に複数本の胴縁等の支持部材を所定間隔おいて列設し、同支持部材間に多数の吸音孔が穿設された表面パネルを取り付け、躯体面と表面パネルの間に空間を形成して室内の音を吸音できるようにした建物における内装の吸音構造において、支持部材間の強度を必要とする表面パネルの裏面に多孔が穿設された別体の補強パネルをその孔が吸音孔と連通するように取り付け、吸音面の強度を向上できるようにしたことを特徴とする建物における内装の吸音構造
２）　建物の躯体面に複数本の胴縁等の支持部材を所定間隔おいて列設し、多数の吸音孔が穿設された表面パネル及び同パネルと同じ厚みの無孔板を前記支持部材間に内装面が面一となるようにそれぞれ取り付け、躯体面と表面パネルの間に空間を形成して室内の音を吸音できるようにした建物における内装の吸音構造において、支持部材間の強度を必要とする表面パネルの裏面に多孔が穿設された別体の補強パネルをその孔が吸音孔と連通するように取り付け、吸音面の強度を向上できるようにしたことを特徴とする建物における内装の吸音構造
３）　補強パネルの躯体側の面に吸音材を取り付けた前記１）又は２）記載の建物における内装の吸音構造
４）　表面パネルに多数の吸音孔を穿設し、表面パネルの支持部材と当接する箇所を除いた面に多孔が穿設された別体の補強パネルをその孔が吸音孔と連通するように取り付けた建築用内装パネル
５）　表面パネルの支持部材と当接する箇所を除いた面に多数の吸音孔を穿設し、同吸音孔面に多孔が穿設された別体の補強パネルをその孔が吸音孔と連通するように取り付けた建築用内装パネル
６）　補強パネルの躯体側に位置する面に吸音材を取り付けた前記４）又は５）記載の建築用内装パネル
にある。
【０００５】
【作用】
本発明によれば、表面パネルの強度を必要とする裏面箇所に多孔が形成された別体の補強パネルをその孔が表面パネルの吸音孔と連通するように取り付けるから、吸音性を損なうことなく必要な箇所のみ低コストで強度を向上させることが可能となる。
【０００６】
【発明の実施の形態】
本発明の表面パネルとしては、厚み４〜１５ｍｍ程のベニヤ合板や繊維板に直径３〜１２ｍｍ程の吸音孔を全域又は支持部材と当接する箇所を除いた面に多数穿設したものが一般的に用いられるが、素材としては木質の他、石膏ボード、火山性ガラス質複層板、繊維強化石膏板、繊維混入無機質・フェノール樹脂発泡板、ガラス繊維強化板、金属板、その他プラスチック板等も使用できる。
補強パネルとしては、表面パネルと同様の素材が用いられ、多孔は表面パネルの吸音孔と連通するように同じ径又は多少大きめの径で同じ間隔位置に穿設される。
吸音孔や多孔の形状としては、円状の他、楕円状、長さ４〜７ｃｍ、幅５〜７ｍｍ程のスリット状などが採用でき、求める吸音性能や内装意匠に応じて適宜選定される。
補強パネルの躯体側の面には、吸音性をより向上させるためにグラスウール等の公知の吸音材を取り付けるのが望ましい。
本発明の建物における内装の吸音構造は、主として壁面に用いられるが、その他床や天井にも適用でき、ホールや体育館等の公共施設、音響実験施設などに好適に採用できる。
以下、本発明の各実施例を図面に基づいて具体的に説明する。
【０００７】
【実施例】
実施例１（図１〜５参照）
図１〜５に示す実施例１は、本発明を壁面に適用した例である。
図１は、実施例１の施工状態を示す説明図である。
図２は、実施例１の施工状態を示す断面図である。
図３は、実施例１の建築用内装パネルの裏面側の斜視図である。
図４は、図３のＡ−Ａ断面図である。
図５は、実施例１の建築用内装パネルの表面側の斜視図である。
【０００８】
図中、１は建築用内装パネルである。
２は、表面パネルであって、厚さ９ｍｍ、長さ６尺（１８００ｍｍ）、幅１．５尺（４５０ｍｍ）の長尺のベニヤ合板の表面に天然木突板を貼着し、直径８ｍｍの吸音孔２ａをパネルの端を残して３６ｃｍ×１６９５ｃｍの方形領域に多数規則的に穿設している。
３は、補強パネルであって、厚さ５ｍｍ、縦３７０ｍｍ、横３９０ｍｍの方形状のベニヤ合板に直径８ｍｍの孔３ａを吸音孔２ａと同じ間隔に多数穿設している。
４はグラスウール、５は胴縁、６は躯体壁面、７は幅木、８は無孔のコーナパネルである。
【０００９】
実施例１では、表面パネル２裏面の各吸音孔２ａ面に補強パネル３を孔３ａが吸音孔２ａと連通するように接着剤でそれぞれ貼着し、各補強パネル３面にグラスウール４をそれぞれ取り付けて建築用内装パネル１を構成する。そして、図２に示すように建物の躯体壁面６に複数本の胴縁５を格子状に所定間隔おいて列設し、同各胴縁５間に前記建築用内装パネル１を突付又は６ｍｍの間隔をおいて接着剤や釘等で施工して壁面が構築される。
実施例１ではこのように構成したから、室内の音は連通された吸音孔２ａと孔３ａを通じてパネル裏の空間に入音し、空間内で乱反射して減衰する一方、吸音面の強度を要する箇所は補強パネル３で補強されて内装壁として必要な強度を付与し、コストを上昇させることなく吸音性と強度を両立させることができた。
【００１０】
実施例２（図６，７参照）
図６，７に示す実施例２は、本発明を天井面に適用した例である。
図６は、実施例２の施工状態を示す説明図である。
図７は、実施例２の施工状態を示す断面図である。
図中、９は木野縁、１０は吊り金物、１１はアンカーボルト、１２は廻り縁、１３はコーナパネルである。
実施例２では、天井の構造部材からアンカーボルト１１で吊設した吊り金物１０で複数本の木野縁９を列設し、同木野縁９間に建築用内装パネル１を突付又は６ｍｍの間隔をおいて施工して吸音天井構造を構築している。
その他、符号、構成、作用効果は実施例１と同じである。
【００１１】
図８に示すのは、無孔板と組み合わせて必要な箇所のみ吸音性を付与した吸音内装壁構造の実施例１の他の例である。
図８は、実施例１の他の例の施工状態を示す説明図である。
図中、１４は厚さ９ｍｍのベニヤ合板の表面に天然木突板を貼着した表面パネル２と同じ厚みの無孔板である。
実施例１の他の例では、吸音を必要とする箇所に表面パネル２を無孔板１４と面一となるように施工し、しかも強度を要する吸音面のみに補強パネル３を裏打ちし、強度を要しない吸音面では表面パネル２のみを施工している。従って、同じ厚みで上部まで面一の壁面を構築しながら必要な箇所に応じて強度や吸音性を任意に付与できる。
その他、符号、構成、作用効果は実施例１と同じである。
【００１２】
【発明の効果】
以上説明したように、本発明によればコストを抑制しつつ吸音面の必要な箇所の強度を低コストで向上できる建物における内装の吸音構造及びそれに用いる建築用内装パネルを提供できる。
【図面の簡単な説明】
【図１】実施例１の施工状態を示す説明図である。
【図２】実施例１の施工状態を示す断面図である。
【図３】実施例１の建築用内装パネルの裏面側の斜視図である。
【図４】図３のＡ−Ａ断面図である。
【図５】実施例１の建築用内装パネルの表面側の斜視図である。
【図６】実施例２の施工状態を示す説明図である。
【図７】実施例２の施工状態を示す断面図である。
【図８】実施例１の他の例の施工状態を示す断面図である。
【符号の説明】
１　建築用内装パネル
２　表面パネル
２ａ　吸音孔
３　補強パネル
３ａ　孔
４　グラスウール
５　胴縁
６　躯体壁面
７　幅木
８　コーナパネル
９　木野縁
１０　吊り金物
１１　アンカーボルト
１２　廻り縁
１３　コーナパネル
１４　無孔板
【図１】
2004068299.tif 000003
【図２】
2004068299.tif 000004
【図３】
2004068299.tif 000005
【図４】
2004068299.tif 000006
【図５】
2004068299.tif 000007
【図６】
2004068299.tif 000008
【図７】
2004068299.tif 000009
【図８】
2004068299.tif 000010